(57)【要約】【課題】  インターレース方式の映像信号に静止画像を挿入し、その静止画像を輪郭が荒れることなく移動させることのできる静止画像挿入装置を提供する。【解決手段】  静止画像を発生させる静止画像発生部１７によって発生させた静止画像を画像記憶部１９に記憶させ、画像記憶部読み出し制御部２５が同期制御部１５からの同期信号により同期させた同期制御信号により画像記憶部１９から静止画像を出力させる。このとき移動量設定部２３が移動速度下限値記憶部２１の下限値と静止画像の指示された移動速度を比較して移動速度が下限値以下の場合に、２フィールド毎に移動することで移動速度が下限値になるように静止画像の移動量を設定して画像記憶部読み出し制御部２５からの垂直アドレスに加算する。【選択図】  図１
2005295245.tif 000002
【特許請求の範囲】
【請求項１】
映像信号に、指示されたフレームあたりのラインの移動速度である最適な移動量に基づいて画像の縦方向に移動する静止画像を挿入する静止画像挿入装置であって、
前記フレームの周期あたりのラインの移動速度である移動量を、映像信号の形式に対応させて記憶すると共に、静止画像を記憶し、これらを出力する静止画像発生手段と、
前記映像信号の形式毎に、前記フレーム単位あたりのラインの禁止移動速度である禁止移動量を記憶する速度下限値記憶手段と、
前記映像信号の走査周波数を検出し、該走査周波数に基づいて前記映像信号の信号の形式を決定する手段と、
前記静止画像発生手段に記憶されている前記映像信号の信号の形式の移動量と予め設定されている前記形式に対応する禁止移動量とが一致するかどうかを判定する手段と、
前記移動量と禁止移動量とが一致しないときは、前記移動量と前記禁止移動量と前記形式に基づいて、フレームあたりのラインの前記最適な移動量を求める手段と、
前記最適な移動量に基づいて前記静止画像を移動させる移動手段と、
前記移動手段で移動した静止画像を前記映像信号に挿入させる画像挿入手段と
を有することを特徴とする静止画像挿入装置。
【発明の詳細な説明】
【技術分野】
【０００１】
本発明は、動画映像の中に静止画像を挿入する静止画像挿入装置に関し、特に、挿入した静止画像を動画映像の中で移動させることのできる静止画像挿入装置に関する。
【背景技術】
【０００２】
テレビ放送やビデオ信号に含まれている映像信号（以下本明細書ではビデオ信号と称する）は、その走査方式の違いから、インターレース方式とノンインターレース方式がある。
【０００３】
ＮＴＳＣ方式、ＰＡＬ方式、および１０８０Ｉ方式ハイビジョン信号はインターレース方式である。インターレース方式で動画像がスムーズに見えるためにはある程度以上の画像移動の平均速度が必要であるとされている（非特許文献１）。つまり、この非特許文献１に示された平均速度の値よりもゆっくりと移動する画像では原理的にスムーズな動画像の表示が難しいことになる。
【０００４】
ここで、テレビ放送のような映像中に文字を挿入する文字発生装置（いわゆるテロップ挿入装置など）において作成した文字情報は、背景である映像とのコントラストがかなりはっきりしている。そのような文字情報画像を上記の平均速度よりもゆっくりと画面の下方から上方に（またはその逆に）移動した場合を考察する。
【０００５】
図５は、１フィールドで１ライン移動というゆっくりとした一定速度での静止画像の移動を説明する図面である。なお、このような画面内での静止画像の縦方向の移動をロール、横方向の移動をクロールと称する。
【０００６】
次に、２フィールド目で一回、ロールすると設定されている場合について以下に説明する。
【０００７】
従来、文字情報のような静止画像を表示する場合は、１フィールド目では、図５（ａ）に示す背景画像１０１ａ（影付ライン表示）に対して図５（ｂ）に示す静止画像１０３（例えば画素単位の文字素：以下文字画像という）を挿入すると、図５（ｃ）に示すように、そのフィールド内で、背景画像１０１ａと文字画像１０３とが合成された１フィールド目の表示画像１０５を画面に表示する。
【０００８】
次に、２フィールド目では、文字画像１０３を１ライン上にロールさせた文字画像１０７（図５の（ｅ））を得て、これを背景映像１０１ｂ（影無ライン表示：図２の（ｄ））に合成して、図５（ｆ）の２フィールド目の表示画像１０９を画面に表示する。
【０００９】
すなわち、画面には、１フィールド目の表示画像１０５（図５（ｃ））と、２フィールド目の表示画像１０９とを合成した図５（ｆ）のフレーム表示画像１１１を得ることになる。
【００１０】
しかし、図５（ｆ）に示すように、１フィールドで１ライン移動という特殊な一定速度の場合は、明らかに文字の輪郭が当初表現したい輪郭の２倍の粗さの状態１０７になり、ギザギザが目立ち見苦しい。つまり、視覚的に合成された１フレーム分の合成映像１１１を見ること、１フィールド目の静止画像１０３が残ってしまい、尾を引いたような輪郭の荒い画像１０７になる（この場合、縦方向のみ２倍の大きさになる）。このような現象は、特に文字情報などコントラストのハッキリした静止画像を表示し、それをロールした場合に顕著に現れていた。
【００１１】
このような現象を回避するために、従来は、図６に示すように、メモリからの読み出しを工夫して、４フィールド目に１回、ロールさせていた。
【００１２】
図６においては、１フィールド目（図６（ａ）、（ｂ）、（ｃ））と、２フィールド目（図６（ｄ）、（ｅ）、（ｆ））は移動させないで、図６（ｃ）の表示画像と（図６（ｆ））の表示画像とを合わせたフレーム表示画像（図６（ｅ））を得ることで見苦しくならないようにしている。
【００１３】
そして、３フレーム目で、２ライン分をロールさせて、４フィールド目は、ロールさせないで、３フィールド目の表示画像（図６（ｉ））と４フィールド目の表示画像（図６（ｌ））と合わせた表示画像（図６（ｍ））を得ることで見苦しくならないようにしている。
【特許文献１】特開平７−２３１４１０号公報
【非特許文献１】「放送方式」日本放送協会編（ＩＳＢＮ４−１４−０７１０３０−６）、第７９頁
【発明の開示】
【発明が解決しようとする課題】
【００１４】
しかしながら、上記の方法は、一定のフレーム周期（４回に１回）で一定のロール間隔（２ライン）で行うことで、見苦しくならないようにしているが、さらに遅いフレーム周期でロールを行う場合がある。
【００１５】
非常に遅いフィールド周期で一定のロール間隔でロールさせると、所々で、フレーム周期に対してのロール間隔が合わなくなり、結果として見苦しいフレーム場面の表示画像（文字が動く）と、しっかりと文字画像が合わさった表示画像とが現れることになり、視覚的に違和感を与えるという課題があった。
【００１６】
例えば、ロール速度が０．１ライン／フィールドの場合、計算上は２フィールド毎に０．２ラインと同等となるが、移動ライン数は整数値をとるので、実際には１０フィールド毎に、１ラインロール（５フレームに１回）することになり、視覚的に違和感を与えることになる。これを回避するためには、移動速度の下限値を予め設定し、たとえば前述の一定のフレーム周期（４回に１回）で一定のロール間隔（２ライン）で移動させる方法がある。
【００１７】
しかし、この方法は、対象となる映像方式の水平、垂直の走査周波数があらかじめわかっている１方式に対してのみ有効な方法である。
【００１８】
たとえば、ＮＴＳＣとＰＡＬとでは走査周波数が異なる。そこで、あらかじめ夫々の映像方式に対応できるように、設定数値を用意しておかなければならい。
【００１９】
例えば、走査周波数、フレーム周期等の条件をＰＡＬ、ＮＴＳＣに対応させたパラメータ（設定数値）のテーブルを備えることで対処していた。
【００２０】
現時点では、映像信号の走査周波数は、テレビ放送の場合には放送システムとの関係で、それ程多くはないので、それぞれの映像方式の走査周波数に合わせて上記設定数値を用意することもたやすい。
【００２１】
しかし、今後、放送以外の様々な映像方式が開発されることによる走査周波数の多様化の可能性は、ノンインターレース方式でのパソコンディスプレイにおいて、既に多くの製品でマルチスキャン方式が採用されていることからも明らかである。近い将来、テレビ放送やそれ以外の映像方式において文字などの静止画像を挿入する場合に、よりきれいに見せたいという要望が生まれるのは必定であり、対応が望まれる。
【００２２】
そうすると、様々な走査周波数に合わせて多くの設定数値をあらかじめ用意しておく必要があり、一つの装置で様々な走査周波数に対応することが難しくなるという課題があった。
【００２３】
本発明はこのような問題を解決するためになされたもので、その目的としては、インターレース方式の映像信号に静止画像を挿入し、その静止画像を移動させた場合に、挿入した静止画像の輪郭が粗くならない表示画像を得ると共に、様々な映像信号の方式に容易に対処できる静止画像挿入装置を提供することである。
【課題を解決するための手段】
【００２４】
本発明の静止画像挿入方法は、映像信号に、指示されたフレームあたりのラインの移動速度である最適な移動量に基づいて縦方向に移動する静止画像を挿入する静止画像挿入方法である。
【００２５】
前記フレームの周期あたりのラインの移動速度である移動量を、映像信号の形式に対応させて記憶するステップと、前記映像信号の形式毎に、前記フレーム単位あたりのラインの禁止移動速度である禁止移動量を記憶するステップと、前記映像信号の形式を判定し、該形式の前記信号形式の移動量と予め設定されている前記形式に対応する禁止移動量とが一致するかどうかを判定するステップと、前記移動量と禁止移動量とが一致しないときは、前記移動量と前記禁止移動量と前記形式に基づいて、フレームあたりのラインの前記最適な移動量を求めるステップと、この移動量で前記静止画像を移動させて前記映像信号に挿入させるステップとを備えたことを要旨とする。
【００２６】
また、本発明の静止画像挿入装置は、映像信号に、指示されたフレームあたりのラインの移動速度である最適な移動量に基づいて縦方向に移動する静止画像を挿入する静止画像挿入装置である。
【００２７】
前記フレームの周期あたりのラインの移動速度である移動量を、映像信号の形式に対応させて記憶すると共に、静止画像を記憶し、これらを出力する静止画像発生手段と、前記映像信号の形式毎に、前記フレーム単位あたりのラインの禁止移動速度である禁止移動量を記憶する速度下限値記憶手段と、前記映像信号の走査周波数を検出し、該走査周波数に基づいて前記映像信号の信号の形式を決定する手段と、前記静止画像発生手段に記憶されている前記映像信号の信号の形式の移動量と予め設定されている前記形式に対応する禁止移動量とが一致するかどうかを判定する手段と、前記移動量と禁止移動量とが一致しないときは、前記移動量と前記禁止移動量と前記形式に基づいて、フレームあたりのラインの前記最適な移動量を求める手段と、前記最適な移動量に基づいて前記静止画像を移動させる移動手段と、前記移動手段で移動した静止画像を前記映像信号に挿入させる画像挿入手段とを備えたことを要旨とする。
【発明の効果】
【００２８】
本発明によれば、映像信号から走査周波数を検出して、それにあわせて、移動速度下限値以下とならないように、静止画像の映像内における移動量を設定することとしたので、映像信号のあらゆる走査周波数に対応して、映像の中で静止画を移動させた場合でも、静止画像の輪郭を荒れさせることなくきれいに映し出すことができる。
【発明を実施するための最良の形態】
【００２９】
以下、図面を参照して本発明を実施するための最良の形態を説明する。本実施の形態は、インターレス方式のビデオ信号において、そのスキャン周波数によらず滑らかなな垂直方向スクロール動作を可能とし、ビデオ信号用文字発生における高品質なロール機能を提供する。
【００３０】
例えば、ロールの最低速度（禁止移動量ともいう）を予め決めておき、指示されたロール速度（指示された移動量ともいう）が最低速度よりも遅い場合は、最低速度でロールを行うものである。
【００３１】
具体的には、最低速度をスムーズに動く下限である０．１ライン／フィールド、指示されたロール速度が０．１ライン／フィールドであった場合に、ロール速度を最低速度である０．５ライン／フィールドに置き換える。そして、従来と同様に２フィールドに１回、２ライン分をロールさせる。
【００３２】
次に、図を用いて本実施の形態を以下に説明する。
【００３３】
図１は、本発明を適用した静止画像挿入装置の構成を示すブロック図である。
【００３４】
この静止画像挿入装置は、静止画像を挿入する背景となる映像信号（ＮＴＳＣ等）から、垂直、水平同期信号を分離する垂直／水平同期信号分離部１１と、分離された垂直、水平同期信号から、それぞれの走査周波数を検出する垂直／水平周波数検出部１３と、分離された垂直、水平同期信号をもとに各部の同期制御を行う同期制御部１５と、静止画像及び信号形式Ｈ（水平同期期間）毎に予め設定されている移動量（指示された移動量）を発生させる静止画像発生部１７と、静止画像発生部１７で発生された静止画像を一時記憶する画像記憶部１９と、信号方式Ｈ毎に静止画像のラインの移動速度の下限値をあらかじめ記憶した移動速度下限値記憶部２１と、静止画像のフィールド毎のラインの最適な移動量を求めて設定する移動量設定部２３と、画像記憶部１９から静止画像を読み出して出力させるタイミングを制御する画像記憶部読み出し制御部２５と、静止画像の移動量（最適な移動量）を加算する加算器２７と、画像記憶部１９から出力された静止画像を背景の映像信号に加算する映像加算器２９と、を有する。
【００３５】
この静止画像挿入装置１による作用を説明する。
【００３６】
まず、静止画像発生部１７において、背景となる映像に挿入する静止画像が形成され発生される。ここで発生させた静止画像の画像データは、たとえば文字情報などであり、その解像度は、たとえばＮＴＳＣ相当であれば横６４０ピクセル、縦４８０ピクセルの静止画像である。
【００３７】
そして、発生させた画像データは、たとえばデータを高速に読み書き可能なＲＡＭによって構成された画像記憶部１９に記憶される。
【００３８】
一方、挿入される静止画像の背景となる映像信号は、垂直／水平同期信号分離部１１に入力されて、垂直同期信号と水平同期信号に分離される。なお、映像信号は、加算器２９へも送られている。
【００３９】
垂直／水平同期信号分離部１１で分離された垂直同期信号と水平同期信号は、いずれも垂直／水平周波数検出部１３と同期制御部１５に送られる。
【００４０】
垂直／水平周波数検出部１３では、入力された垂直同期信号と水平同期信号から、それぞれの周波数、すなわち映像の走査周波数を検出する。検出した走査周波数は移動量設定部２３へ周波数識別信号（ｆｖ、ｆｈ）として送る。
【００４１】
同期制御部１５は、入力された垂直同期信号と水平同期信号から、各部のタイミングをとるための同期制御信号を作り出し、垂直／水平周波数検出部１３、移動量設定部２３、および画像記憶部読み出し制御部２５に、この同期制御信号を送り、これらの動作タイミングを同期させる。また、移動量設定部２３は、垂直／水平周波数検出部１３からの走査周波数から信号方式Ｈを決定する。例えば、ＮＴＳＣ方式、ＰＡＬ方式、ＨＤＴＶ方式等を検出する。
【００４２】
同期制御信号を受けた画像記憶部読み出し制御部２５は、画像データの画像垂直方向読み出し位置を指定する垂直アドレスと、同様に水平方向読み出し位置を指定する水平アドレス、およびリードイネーブル信号などの読み出し制御信号を出力する。そして、これらの信号を受けた画像記憶部１９では、入力されたリードイネーブル信号により垂直アドレスと水平アドレスの位置となるように静止画像が読み出されて出力される。
【００４３】
垂直アドレス、水平アドレス、および読み出し制御信号は、同期制御部１５からの同期制御信号に同期している。このため、入力された映像信号の垂直、水平同期信号の周波数、すなわち映像信号中の走査周波数がどのようなものであっても、画像データを画像記憶部１９から読み出すためのタイミングを決める垂直アドレス、水平アドレス、および読み出し制御信号は、静止画像が挿入される映像信号の走査周波数と同期したものになる。
【００４４】
ここで、垂直アドレスおよび水平アドレスは、いずれも単調増加値をとる。たとえば、ＮＴＳＣ相当の画像サイズの場合、垂直アドレスは０〜４７９、水平アドレスは０〜６７９の範囲の値となる。
【００４５】
そして、これらの値に変化がなければ映像の中に挿入される画像は、映像画面内で移動しない完全な静止画像となる。一方、映像内に挿入される静止画像を移動させる場合は、移動量が移動量設定部２３から入力されて設定される。
【００４６】
ここで入力される移動量は、何フィールドごとに何ライン移動するかを入力する。
【００４７】
すなわち、静止画像発生部１７に、信号方式Ｈ毎に、何フィールド毎にロールさせるかを移動量指示テーブル１７ａに記憶しておき、移動量設定部２３が、垂直／水平周波数検出部１３からの信号方式Ｈに対応する禁止移動量を速度下限値記憶部２１から読み込むと共に、静止画像発生部１７から指示された移動量（４フィールドで１回移動、１２フィールドで１回移動、・・・）を読み込む。
【００４８】
そして、この指示された移動量と禁止移動量と信号方式Ｈとから予め設定されている演算式に従って、最適な移動量を求め、これを加算器２７に出力する。
【００４９】
したがって、実質的には挿入する静止画像の最適なフィールドあたりの最適な移動速度（移動量）が入力されることになる。なお、この他に、たとえば、１フレームにおいて移動させるライン数を入力するようにしてもよい。この場合、入力されるのは１フレーム内における移動量であるが、１フレーム内の走査周波数からその移動速度が求められることになる。
【００５０】
一方、いわゆる動画と呼ばれる画像は、通常垂直サンプリング周波数（インターレース方式では、これが１フィールドとなる）ごとにその画像内容が変化する。画像を滑らかにロール（たとえば上方移動）させるには１フィールドごとに一定速度で移動させる静止画像を画像記憶部１９から出力することで動画像が得られる。
【００５１】
したがって、静止画像を映像信号に挿入して、これを移動させる場合、画像記憶部１９から静止画像を出力するときに、１フィールドごとに前述の垂直アドレスに移動量を加算していけばよい。
【００５２】
具体的には、ＮＴＳＣの場合、０〜４７９の範囲の垂直アドレスに対し、１フィールドごとに＋１、＋２、＋３、・・・となるように加算することで、垂直アドレスが１〜４８０、２〜４８１、３〜４８２、・・・となるので、静止画像がロールすることになる。
【００５３】
ところがインターレース方式においては１フィールドごとに１ラインずつ移動する場合、既に説明したように、１フレームに合成された映像画面内においてロールしている静止画像の輪郭が荒れた見苦しいものとなる。そこで、このような解像度の低下を防ぐために、１フィールド１ラインのロールにおいては、これを２フィールドごとに２ラインロールするようにして移動させてやれば、このような画像の荒れは生じない。
【００５４】
同様に、これよりも遅い速度でロールさせる場合、すなわち、１フィールドごとではなく複数フィールドごとに１ラインのロールなどでも、２フィールドの整数値ごとにロールさせることで、ロール中の静止画の荒れは防止できる。たとえば、３フィールドごとに１ラインのロールは６フィールドごとに２ラインに、４フィールドごとに１ラインのロールは８フィールドごとに２ラインのロールにしてやればよい（２フィールドごとに１ラインのロールはそのままでよい）。
【００５５】
しかし、このように複数フィールドごとに１ラインのロールを複数フィールドごとに複数ラインのロールに変換する、すなわち、１フレーム分のフィールド数である２フィールドを超えて複数ラインを移動すると、ロール中の静止画が途中で途切れたような不連続なロールとなってしまう。
【００５６】
そこで、これを防止するために、２フィールドを超えるごとに１ライン以下の速度でロールするような非常に遅いロールの場合には、全て、２フィールドで１ラインのロールに変換してしまう方がよい。
【００５７】
このような非常に遅いロール速度の場合に対処するために、最低の速度でロールさせる値を記憶しているのが移動速度下限値記憶部２１である。本実施の形態においては、この移動速度の下限値として、例えば２フィールドごとに１ラインの移動速度（禁止移動量）を設定している。
【００５８】
移動量設定部２３は、信号形式Ｈに対応して予め設定された移動量（すなわち、移動速度；指示された移動量ともいう）が移動速度下限値記憶部２１に記憶されている移動速度の下限値と比較して遅い場合には、同期制御信号のタイミングに合わせて所定値として２フィールド１ラインの移動となるように最適な移動量を出力する。移動速度（指示された移動量）が下限値よりも速い場合には、入力された移動速度となるように垂直アドレスの加算値を出力する。具体的には、たとえば２フィールドを超えるごとに１ライン以下のロールの場合には、２フィールド分の同期制御信号ごとに、垂直アドレスを１加算する信号を出力する。
【００５９】
なお、移動速度下限値記憶部２１に記憶される値は、上記の説明からもわかるように、ライン／フィールドといった形で表現すれば走査周波数に依存するものではなく、静止画像を移動させる移動速度にのみ依存するため、あらかじめ設定しておけばよい。したがって、移動速度下限値記憶部２１は、たとえばこの移動速度下限値を記憶するＲＯＭ、または記憶保持動作のいらないフラッシュメモリなどが好ましい。
【００６０】
最後に、画像記憶部読み出し制御手段からの垂直アドレス値と移動量設定部２３からの値が加算器２７によって加算されて画像記憶部１９に垂直アドレスとして入力されて読み出し指令が行われ、静止画像の出力が行われる。
【００６１】
そして、出力された静止画像と映像信号が映像加算器２９により加算されて、映像信号の中に静止画が挿入される。このとき、移動量設定手段から垂直アドレスの加算値が出力されていれば、その加算値にしたがった移動量で、映像に挿入された静止画像が、輪郭の荒れなどが無くきれいに移動して見えるようになる。
【００６２】
以上のように本実施の形態によれば、垂直／水平同期振動から映像信号の走査周波数を検出して、検出した走査周波数に同期させて２フィールド１ライン以下の移動速度で移動する静止画像を２フィールド１ラインの移動速度となるように変更することとしたので、どのような映像周波数であっても移動中の静止画像の輪郭が荒れることなく、映像信号に挿入された静止画像のゆっくりとした移動が可能となる。
【００６３】
次に、上記図１のブロックの移動量設定手段について、図２のフローチャートを用いて説明を補充する。図２においては、１フィールドで１ラインを下限値（禁止移動量）とする。
【００６４】
移動量設定部２３は垂直／水平周波数検出部１３からの垂直同期の周波数識別信号ｆｖ及び水平同期の周波数識別信号ｆｈとを読み、信号形式Ｈを判定する（Ｓ１）。
【００６５】
次に、移動量設定部２３は、静止画像発生部１７から信号形式Ｈに対応する移動量（以下指示された移動量という）を読み込む（Ｓ２）。
【００６６】
指示された移動量というのは、例えばＰＡＬ、ＮＴＳＣに応じた移動量テーブル１７ａから読み込んだ値である。
【００６７】
ＮＴＳＣでは、フレーム周期１／６０秒、走査線５２５、ロールの移動量（例えば１／５２５：１ライン上に上げる）としている。また、ＰＡＬは、周期が１／５０秒、走査線６２５、ロールの移動量（例えば１／６２５：１ライン上に上げる）としている。
【００６８】
次に、速度下限値記憶部２１から禁止移動量を読み込み、指示された移動量と禁止移動量とが一致するかどうかを判定する（Ｓ３）。前述の禁止移動量は、ＰＡＬ、ＮＴＳＣ毎に設けるのが好ましい。
【００６９】
ステップＳ３において、指示された移動量と禁止移動量とが同じと判定したときは、加算器２７に「０」を移動量として出力する（Ｓ４）。例えば、禁止移動量が１フィールドあたり１ライン動かしてはいけない値（１ライン／１フィールド）が設定され、指示された移動量が１フィールドあたり１ライン動かす値（１ライン／１フィールド）と設定されている場合に、「０」を加算器２７に出力する。
【００７０】
また、ステップＳ３において、指示された移動量と禁止移動量とが一致しないと判定したときは（指示された移動量が禁止移動量以下又は以上）、信号方式Ｈと、この禁止移動量と、指示された移動量とから、最適な移動量を求める。つまり、何フィールド毎に、何ライン移動させるかを求め、これを最適な移動量として加算器２７に出力する（Ｓ５）。
【００７１】
そして、終了かどうかを判断し（Ｓ６）、終了でないときは、処理をステップＳ１に戻して上記と同様な処理を実行する。
【００７２】
すなわち、例えば図３に示すように、信号方式Ｈ（ＨＤＴＶ、ＰＡＬ、ＮＴＳＣ、・・・）は、４フィールドで１回、動くという移動量（指示された移動量）が静止画像発生部１７に設定されている場合は、この信号方式Ｈに対応する禁止移動量を速度下限値記憶部２１から読み込み、この禁止移動量と、指示された移動量と、信号方式Ｈとからこの信号方式において最適な移動量（フィールド周期、ライン数）を求める。
【００７３】
図３においては、フィールド１、フィールド２では、最適な移動量を「０」、フィールド３では、最適な移動量を「２」として加算器２７に出力している。
【００７４】
これによって、垂直アドレスの加算結果は、フィールド１では０〜４７９、フィールド２では０〜４７９、フィールド３では２〜４８１、フィールド４では２〜４８１となる。また、静止画像発生部１７から信号形式Ｈは１２フィールド毎に１回の移動と設定されている場合は、図４に示すように、フィールド１では最適な移動量を「１」、フィールド２では、最適な移動量を「０」、フィールド３では、最適な移動量を「１」、フィールド４では最適な移動量を「０」として加算器２７に出力し、フィールド４以降はこれを繰り返し、フィールド１５で例えば最適な移動量を「１」として加算器２９に出力する。この最適な移動量は、２、３、４等となる場合もある。
【００７５】
すなわち、映像信号に、指示されたフレームあたりのラインの移動速度である最適な移動量に基づいて縦方向に移動する静止画像を挿入する静止画像挿入方法であって、前記フレームの周期あたりのラインの移動速度である移動量を、映像信号の形式に対応させて記憶するステップと、前記映像信号の形式毎に、前記フレーム単位あたりのラインの禁止移動速度である禁止移動量を記憶するステップと、前記映像信号の形式を判定し、該形式の前記信号形式の移動量と予め設定されている前記形式に対応する禁止移動量とが一致するかどうかを判定するステップと、前記移動量と禁止移動量とが一致しないときは、前記移動量と前記禁止移動量と前記形式に基づいて、フレームあたりのラインの前記最適な移動量を求めるステップと、この移動量で前記静止画像を移動させて前記映像信号に挿入させるステップとを有することを特徴とする静止画像挿入方法である。
【００７６】
なお、以上説明した実施の形態では、ＮＴＳＣ方式を一例として示しているが、本発明は、この他に、ＰＡＬ方式、１０８０Ｉハイビジョン方式などのインターレース方式において好適に用いることができるほか、今後採用されるあらゆる走査周波数に対しても、従来のように走査周波数ごとに設定などを行うことなく、適用することができる。
【００７７】
また、上記実施の形態では、映像信号に挿入する静止画像形成するための静止画像発生部を装置内に有しているが、これは装置外部にあっても良く、また、その他の装置、たとえばパソコンやデジタルスチールカメラなどから挿入する静止画像を取得するようにして、取得した静止画像を画像記憶部１９に記憶するようにしてもよい。
【産業上の利用可能性】
【００７８】
本発明は、テレビ放送、ビデオ撮影装置、ビデオ編集装置などにおける映像信号への静止画像の挿入、特に文字情報の挿入と、挿入した文字情報の移動に好適である。
【図面の簡単な説明】
【００７９】
【図１】本実施の形態の静止画像挿入装置の構成を示すブロック図である。
【図２】本実施の形態の静止画像挿入装置の動作を説明するフローチャートである。
【図３】本実施の形態の静止画像挿入装置の概念を説明する説明図である。
【図４】本実施の形態の静止画像挿入装置の概念を説明する説明図である。
【図５】従来の静止画像の移動を説明するための図面である。
【図６】従来の静止画像の移動を説明するための図面である。
【符号の説明】
【００８０】
１１  垂直／水平同期信号分離部
１３  垂直／水平周波数検出部
１５  同期制御部
１７  静止画像発生部
１９  画像記憶部
２１  移動速度下限値記憶部
２３  移動量設定部
２５  画像記憶部読み出し制御部
２７  加算器
２９  映像加算器
【図１】
2005295245.tif 000003
【図２】
2005295245.tif 000004
【図３】
2005295245.tif 000005
【図４】
2005295245.tif 000006
【図５】
2005295245.tif 000007
【図６】
2005295245.tif 000008